(57)【特許請求の範囲】
【請求項１】
メダルを払い出すためのホッパーと、
前記ホッパーを収容する本体と、
前記ホッパーを前記本体の内側に着脱可能に設置する設置部材と、を備えた遊技台であって、
前記ホッパーは、前記設置部材へ係着させるときに該ホッパーをスライドさせる係着方向と平行な両側面の下側に、前記係着方向に沿った一対の係着片を備え、
前記係着片は、前記係着方向の奥側端部分が端部に向かってテーパ状にカットされた形状であり、
前記設置部材は、
前記係着片を案内する案内部と、
前記案内部に案内された前記係着片と係着しながら該係着片を前記係着方向に誘導する係着部と、
前記係着片の係着を規制する規制部と、を備え、
前記案内部は、前記係着片を、前記設置部材の中心方向に誘導して、該係着片を前記係着部に係着させ易くするハの字形状の誘導部を備えて構成され、
前記規制部は、前記係着部の上方に設けられ、前記係着片が前記係着部に係着されていない場合に、前記係着片と当接することで該係着片の係着を該規制部の位置までに規制することを特徴とする、
遊技台。
【発明の詳細な説明】
【技術分野】
【０００１】
本発明はスロットマシンやパチンコ機などに代表される遊技台に関する。
【背景技術】
【０００２】
従来、スロットマシン等の遊技台では、スロットマシンを構成するユニットや、そのユニットに対応するスロットマシンの筺体部分にガイドを設け、ユニットを組み付け易くする発明が提案されている（例えば、特許文献１参照）。
【特許文献１】特開２００６―８７５５８号広報
【発明の開示】
【発明が解決しようとする課題】
【０００３】
しかしながら、特許文献１に記載の発明は、ユニットがスロットマシン筺体のガイドを外れて組み付けられた場合、外れていることに気が付かず、そのままユニットを奥まで係着してしまう恐れがある。そうした場合、ユニットを破損してしまったり、ケーブルを損傷してしまうという問題がある。
【０００４】
本発明は、このような実情に鑑み、ユニットの破損やケーブルの損傷を防止でき、組立性の良い遊技台を提供しようとするものである。
【課題を解決するための手段】
【０００５】
（１）本発明は、遊技台を構成する着脱可能な構成部材と、前記構成部材を設置する設置部材と、を備えた遊技台であって、前記設置部材は、前記構成部材を係着する係着部と、前記構成部材が前記係着部の所定の位置に係着されない場合は、前記構成部材の係着を規制する規制部と、を備えていることを特徴とする、遊技台である。
【０００６】
（２）本発明はまた、前記構成部材は、前記設置部材への係着方向と平行に設けられた係着片を備え、前記係着片は、前記設置部材に設けられた前記係着部に係着されると共に、前記係着部の所定の位置に係着されない場合に、前記規制部と当接し、前記設置部材との係着を規制することを特徴とする、（１）に記載の遊技台である。
【０００７】
（３）本発明はまた、前記設置部材は、前記係着部の前方に設けられて前記係着片を所定の位置に案内する案内部と、前記構成部材が、前記係着部の所定の位置に係着した場合に、前記構成部材と所定の位置で当接し、前記構成部材の係着を規制する後方壁部と、を備えていることを特徴とする、（２）に記載の遊技台である。
【０００８】
（４）本発明はまた、前記案内部は、前記構成部材の係着側に向けて広がる第一案内面と、それに繋がる壁面と、を備えていることを特徴とする、（３）に記載の遊技台である。
【０００９】
（５）本発明はまた、前記係着部は、前記係着片を所定の位置に案内するために上方側に広がる第二案内面と、前記第二案内面の後方に繋がり、前記係着片を係着する、略コの字形状の筒部と、を備えることを特徴とする、（２）乃至（４）のいずれかに記載の遊技台である。
【００１０】
（６）本発明はまた、前記規制部間の幅は、前記係着片間の幅よりも狭いことを特徴とする、（２）に記載の遊技台である。
【００１１】
（７）本発明はまた、前記規制部は、前記係着部の上方に形成された、略Ｌ字形状の部材であることを特徴とする、（１）乃至（６）のいずれかに記載の遊技台である。
【００１２】
（８）本発明はまた、前記構成部材は、前記設置部材への係着方向と平行に設けられた第一係着片と、前記係着方向と平行に設けられた凹形状の第二係着片と、を備え、前記設置部材は、前記第一係着片と係着する第一係着部と、前記第二係着片と係着する第二係着部と、を備え、前記構成部材が、前記設置部材の所定の位置で係着しない場合に、前記第二係着片が前記第二係着部に当接し、前記構成部材の係着を規制することを特徴とする、（１）に記載の遊技台である。
【００１３】
（９）本発明はまた、前記設置部材の係着方向の後方に、前記構成部材と接続される接続部材を備えていることを特徴とする、（１）乃至（８）のいずれかに記載の遊技台である。
【００１４】
（１０）本発明はまた、複数種類の図柄が施された複数のリールと、前記複数のリールの回転を開始させるスタートスイッチと、前記複数のリールのそれぞれに対応して設けられ、前記リールの回転を個別に停止させるストップスイッチと、予め定められた複数種類の入賞役の内部当選の当否を抽選により判定する抽選手段と、停止された前記複数のリールによって表示される図柄の組合せが、前記抽選手段により内部当選した入賞役に対応する図柄の組合せであるか否かにより前記入賞役の入賞の当否を判定する判定手段と、を備えたことを特徴とする、（１）乃至（９）のいずれかに記載の遊技台である。
【００１５】
（１１）本発明はまた、所定の入賞口を有する遊技盤をさらに備え、前記所定の入賞口に遊技球が入球することにより、所定の特典を与えることを特徴とする、（１）乃至（９）のいずれかに記載の遊技台である。
【発明の効果】
【００１６】
本発明に係る遊技台によれば、組立性の良い遊技台を提供できる優れた効果を奏し得る。
【発明を実施するための最良の形態】
【００１７】
以下、図面を用いて、本発明の第１実施形態に係るスロットマシンについて詳細に説明する。
【００１８】
＜全体構成＞
【００１９】
まず、図１を用いて、スロットマシン１００の全体構成について説明する。なお、同図はスロットマシン１００の外観斜視図を示したものである。
【００２０】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。本実施例１において、各図柄は帯状部材に等間隔で適当数印刷され、この帯状部材が所定の円形枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、本実施例１では、３個のリールをスロットマシン１００の中央内部に備えているが、リールの数やリールの設置位置はこれに限定されるものではない。
【００２１】
また、各々のリール１１０〜１１２の背面には、図柄表示窓１１３に表示される個々の図柄を照明するためのバックライト（図示省略）が配置されている。なお、このバックライトは、各々の図柄ごとに遮蔽されて個々の図柄を均等に照射できるようにすることが望ましい。
【００２２】
さらに、スロットマシン１００内部において各々のリール１１０〜１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０〜１１２を停止させる。
【００２３】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００２４】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナス遊技中（ＢＢ遊技中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００２５】
メダル投入ボタン１３０、１３１は、スロットマシン１００に電子的に貯留されているメダルを所定の枚数分投入するためのボタンである。本実施例１においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０または１３１により電子的に投入することもできるし、メダル投入口１３４から実際のメダルを投入することもできる。精算ボタン１３２は、スロットマシン１００に電子的に貯留されたメダル及びベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００２６】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０〜１１２が回転し、遊技が開始される。ストップボタン１３７〜１３９は、スタートレバー１３５の操作によって回転を開始したリール１１０〜１１２に対する停止操作を行うためのボタンであり、各リール１１０〜１１２に対応して設けられている。そして、いずれかのストップボタン１３７〜１３９を操作すると対応するいずれかのリール１１０〜１１２が停止することになる。
【００２７】
ドアキー１４０は、スロットマシン１００の前面扉１０２のロックを解除するためのキーを挿入する孔である。メダル払出口１５５は、メダルを払出するための払出口である。メダル受皿１５６は、メダル払出口１５５から払出されたメダルを溜めるための器である。なお、メダル受皿１５６は、本実施例１では発光可能な受皿を採用しており、以下受皿ランプと呼ぶこともある。
【００２８】
上部ランプ１５０、サイドランプ１５１、中央ランプ１５２、腰部ランプ１５３、下部ランプ１５４、受皿ランプ１５６は、遊技を盛り上げるための装飾用のランプである。扉付き液晶表示装置９００は、液晶表示装置（ＬＣＤ）９１０と、左扉９２０と、右扉９３０を備えている。音孔１６０は、スロットマシン１００内部に設けられているスピーカの音を外部に出力するための孔である。タイトルパネル１６２には、スロットマシン１００を装飾するための図柄が描かれる。
【００２９】
＜制御部＞
次に、図２及び図３を用いて、このスロットマシン１００の制御部の回路構成について詳細に説明する。
【００３０】
スロットマシン１００の制御部は、大別すると、遊技の中枢部分を制御する主制御部３００と、主制御部３００より送信されたコマンドに応じて各種機器を制御する副制御部４００によって構成されている。
【００３１】
＜主制御部＞
まず、図２を用いて、スロットマシン１００の主制御部３００について説明する。主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。
【００３２】
クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００３３】
また、ＣＰＵ３１０には、センサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００３４】
さらに、ＣＰＵ３１０には、各ＩＣを制御するための制御プログラムデータ、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、メダル投入センサ３２０、スタートレバーセンサ３２１、ストップボタンセンサ３２２、メダル投入ボタンセンサ３２３、精算ボタンセンサ３２４、メダル払い出しセンサ３２６の状態を検出し、各センサを監視している。
【００３５】
メダル投入センサ３２０は、メダル投入口１３４の内部の通路に２個設置されており、メダルの通過有無を検出する。スタートレバーセンサ３２１は、スタートレバー１３５に設置されており、遊技者によるスタート操作を検出する。ストップボタンセンサ３２２は、各々のストップボタン１３７乃至１３９に設置されており、遊技者によるストップボタンの操作を検出する。
【００３６】
メダル投入ボタンセンサ３２３は、メダル投入ボタン１３０、１３１のそれぞれに設置されており、ＲＡＭ３１３に電子的に貯留されているメダルを遊技用のメダルとして投入する場合の投入操作を検出する。たとえば、ＣＰＵ３１０は、メダル投入ボタン１３０に対応するメダル投入ボタンセンサ３２３がＨレベルになった場合に、電子的に貯留メダルを１枚投入し、メダル投入ボタン１３１に対応するメダル投入ボタンセンサ３２３がＨレベルになった場合に、電子的に貯留メダルを３枚投入する。なお、メダル投入ボタン１３１が押された際、貯留されているメダル枚数が２枚の場合は２枚投入され、１枚の場合は１枚投入される。
【００３７】
精算スイッチ３２４は、精算ボタン１３２に設けられている。精算ボタン１３２が一回押されると、貯留されているメダルの清算が行われる。メダル払い出しセンサ３２６は、払い出されるメダルを検出するためのセンサである。なお、以上の各センサは、非接触式のセンサであっても接点式のセンサであってもよい。
【００３８】
ＣＰＵ３１０には、さらに、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０〜１１２の取付台の所定位置に設置されており、リール１１０〜１１２に設けた遮光片がこのインデックスセンサ３２５を通過するたびにハイレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、ホッパー（バケットにたまっているメダルをメダル払出口１５５から払出すための装置。図示省略。）のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技回数表示器１２６、貯留枚数表示器１２７等）が接続されている。
【００３９】
また、ＣＰＵ３１０には、乱数発生回路３１７がデータバスを介して接続されている。乱数発生回路３１７は、水晶発振器３１１及び水晶発振器３１６から発振されるクロックに基いて、一定の範囲内で値をインクリメントし、そのカウント値をＣＰＵ３１０に出力することのできるインクリメントカウンタであり、後述する入賞役の内部抽選をはじめ各種抽選処理に使用される。本発実施形態における乱数発生回路３１７は、水晶発振器３１１のクロック周波数を用いて０〜６５５３５までの値をインクリメントするカウンタと、水晶発振器３１６のクロック周波数を用いて０〜１６７７７２１５までの値をインクリメントするカウンタの２つの乱数カウンタを備えている。
【００４０】
また、ＣＰＵ３１０のデータバスには、副制御部４００にコマンドを送信するための出力インタフェース３７１が接続されている。
【００４１】
＜副制御部＞
次に、図３を用いて、スロットマシン１００の副制御部４００について説明する。なお、同図は副制御部４００の回路ブロック図を示したものである。
【００４２】
副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。
【００４３】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００４４】
また、ＣＰＵ４１０には、副制御部４００の全体を制御するための命令及びデータ、ライン表示ＬＥＤの点灯パターンや各種表示器を制御するためのデータが記憶されたＲＯＭ４１２や、データ等を一時的に保存するためのＲＡＭ４１３が各バスを介して接続されている。
【００４５】
さらに、ＣＰＵ４１０には、外部の信号を送受信するための入出力インタフェース４６０が接続されており、入出力インタフェース４６０には、図柄表示窓１１３の外枠に配設され、点滅や点灯などの点灯制御によって有効ラインや入賞ラインを報知するためのライン表示ＬＥＤ４２０、前面扉１０２の開閉を検出するための扉センサ４２１、ＲＡＭ４１３のデータをクリアにするためのリセットスイッチ４２２が接続されている。
【００４６】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、扉・液晶画面制御部４９０からの信号を入力するための入力インタフェース４７１、時計ＩＣ４２３、７セグメント表示器４４０への信号を出力するための出力インタフェース４７２等が接続されている。
【００４７】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を遊技店の係員等が確認できるようになっている。さらに、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、受け皿ランプ１５６、払出口ストロボ１７１を制御する。タイトルパネルランプ１７０は、タイトルパネル１６２を照明するランプであり、払出口ストロボ１７１は、払い出し口の内側に設置されたストロボタイプのランプである。なお、ＣＰＵ４１０は、扉・液晶画面制御部４９０への信号送信は、デマルチプレクサ４１９を介して実施する。扉・液晶画面制御部４９０は、液晶表示装置９００及び扉９２０、９３０を制御する制御部である。
【００４８】
次に図４は、スロットマシン１００の前面扉１０２を開放した状態を示した図である。
【００４９】
メダル投入口１３４の裏側近傍には、メダルセレクタ６００を配設している。このメダルセレクタ６００は、メダル投入口１３４からメダルが正常に投入されたか否か、メダル投入口１３４から投入されるメダルが正規なメダルであるか否かなどを判断するための装置である。
【００５０】
また、本体１０１内部の下方には、ホッパー２００を設けている。ホッパー２００は、箱状のバケット２１０に貯めているメダルをメダル払出口１５５から払出すための装置である。
【００５１】
また、前面扉１０２の裏側右下方には、前面扉１０２を本体１０１に固定するための係止部１０２ａを設けており、この係止部１０２ａを係止して前面扉１０２をロックする本体１０１側のロック部材には、前面扉１０２が開放しているか閉鎖しているかを判断するためのドア開放検知センサ（図示省略）を設けている。このドア開放検知センサは、前面扉１０２が開放中の場合はＣＰＵ３１０に開放中信号を出力し、前面扉１０２が閉鎖中の場合はＣＰＵ３１０に閉鎖中信号を出力する。
【００５２】
また、本体１０１の下方には、ホッパー２００を本体１０１に設置して収容する為の設置部材２２０を設けている。設置部材２２０は、ボルト等の固定具で本体１０１の内側底面に固定されている。なお、詳細は後述するが、ホッパー２００は、この設置部材２２０と所定の位置で係合し、そのまま奥まで係着して設置する。
【００５３】
次に、図５、図６を用いてホッパー２００と設置部材２２０について説明する。なお、図５は、ホッパー２００と設置部材２２０の概略斜視図であり、図６は、ホッパー２００と設置部材２２０を挿入方向から見た正面図である。
【００５４】
ホッパー２００は、ホッパー本体２０２と、箱状のバケット２１０を備えて構成されている。ホッパー本体２０２は、係着方向と平行な本体両側面の下側に一対の係着片２０３を有している。
【００５５】
図６に示すように、係着片２０３は、ホッパー２００の両側面に設けられた一対の薄板状の金属片で、一対の係着片２０３間の間隔は、長さＬ１寸法になるように構成されている。また、ホッパー２００の係着方向の両端部分が端部に向かってテーパ状にカットされた形状となっており、ホッパー本体２０２上面から見ると略台形形状となっている。したがって、ホッパー２００は、係着片２０３のテーパ部分から後述する設置部材２２０の案内面２２２ａに誘導され易くなっている。
【００５６】
次に、図５に戻って、設置部材２２０は、ベース部２２１と、案内部２２２と、係着部２２３と、規制部２２４と、当接部２２５と、コネクタ接続部２２６を備えて構成されている。
【００５７】
ベース部２２１は、金属製の板状部材で、その上に後述する案内部２２２と、係着部２２３と、規制部２２４と、当接部２２５と、コネクタ接続部２２６が形成されている。
【００５８】
案内部２２２は、ベース部２２１上に板金加工で成型されたホッパー２００の導入部である。この案内部２２２は、ホッパー２００の係着方向にハの字に開いた第一案内面２２２ａと、第一案内面２２２ａの後方に繋がる第一壁部２２２ｂと、を備えて構成されている。したがって、図５に示すように、第一案内面２２２ａは、ホッパー２００に設けられた係着片２０３を、設置部材２２０の略中心方向に誘導する。これにより、係着片２０３は、後述する係着部２２３と係着され易くなる。
【００５９】
係着部２２３は、ベース部２２１上に板金加工で成型され、ホッパー２００と係着する部材である。この係着部２２３は、第二案内面２２３ａと、筒部２２３ｂを備えて構成されている。第二案内面２２３ａは、係着方向の上方向に広がったテーパ形状となっており、ホッパー２００に設けられた係着片２０３を下方向（ベース部２２１方向）の所定の位置に誘導する。筒部２２３ｂは、断面略コの字の筒状部材であり、係着片２０３と係着しながら、ホッパー２００を係着方向に誘導するように形成されている。
【００６０】
図５に示すように、規制部２２４は、ベース部２２１上の両側面側に設けられた一対の略Ｌ字部材で、係着部２２３の上方、かつ係着部２２３全長の略中間位置に設けられている。この規制部２２４は、係着方向に対して略垂直に設けられた規制面２２４ａと、規制面２２４ａの後方に繋がる第二壁部２２４ｂを備えて構成され、一対の規制部材２２４の第二壁部２２４ｂの間隔は、長さＬ２寸法になるように構成されている。
【００６１】
ここで、図６に示すように、前述した、一対の係着片２０３の間隔Ｌ１は、一対の規制部２２４の間隔Ｌ２よりも長い関係（つまり、Ｌ１＞Ｌ２の関係）になっている。したがって、ホッパー２００が設置部材２２０の所定の位置から外れて係着された場合、係着片２０３は規制部２２４と当接し、ホッパー２００は、規制部２２４よりも奥まで係着されることはない。なお、この規制部２２４の位置は、ホッパー２００が所定の位置から外れて係着された場合に、係着途中でホッパー２００を停止させ、ホッパー２００と後述するコネクタ接続部２２６が衝突しないように設けられていればよく、図５に示す位置に限らないことは言うまでもない。
【００６２】
図５に戻って、当接部２２５は、ベース部２２１上に板金加工で成型されたＶ凸形状の壁面である。この当接部２２５は、係着部２２３の後方に設けられ、係着方向に対して略垂直な面を形成している。したがって、当接部２２５は、ホッパー２００が係着された場合に、そのホッパー２００の本体と当接し、ホッパー２００を所定の位置で停止させる。
【００６３】
コネクタ接続部２２６は、板金加工された部材で、ベース部２２１上に設けられている。このコネクタ接続部２２６は、係着方向に雄コネクタ（図示省略）が固定されており、ホッパー２００を所定の位置で係着した場合、ホッパー２００に設けられた雌コネクタ（図示省略）と嵌合するように配置されている。
【００６４】
以上から、ホッパー２００を設置部材２２０に設置する場合、ホッパー２００を設置部材２２０の所定の位置に係着するわけであるが、この時、ホッパー２００の係着片２０３は、第一案内面２２２ａによって、設置部材２２０の略中心方向の所定の位置に誘導され、第一壁部２２２ｂによって係着方向に誘導される。次に、その係着片２０３は、第二案内面２２３ａによって、設置部材２２０の下方向の所定の位置に誘導され、さらに筒部２２３ｂと係着しながら係着される。さらに、その係着片２０３は、当接部２２５と当接するまで係着され、当接部２２５と当接した所定の位置で停止する。このとき、ホッパー２００に設けられた雌コネクタ（図示省略）は、コネクタ接続部２２６に設けられた雄コネクタ（図示省略）と嵌合し、ホッパー２００と主制御回路との間で電気的な信号伝達が可能となる。
【００６５】
一方、係着片２０３が、第二案内面２２３ａと所定の位置で係着しない場合、図７に示すように、係着片２０３は、規制面２２４ａと当接し、その位置で停止するようになっている。したがって、ホッパー２００は、設置部材２２０と適正な位置で係着されない場合、設置部材２２０の奥まで係着されることはなく、ホッパー２００を無理に係着することによるホッパー２００の破損やコネクタ類の損傷等を防ぐことができるという効果がある。
【００６６】
尚、言うまでもないが、ホッパー２００側に設けられているコネクタと、設置部材２２０側に設けられているコネクタは、お互いに嵌合して電気的信号を伝送するという用途を果たせればよく、コネクタの種類は問わず、また、ソケット等でも構わない。
【００６７】
したがって、第１実施形態によれば、遊技台を構成する係着片２０３を備えたホッパー２００と、このホッパー２００を遊技台に設置する設置部材２２０を備えた遊技台であって、この設置部材２２０は、案内部２２２と、係着部２２３と、規制部２２４を備えており、一対の規制部２２４の間隔Ｌ２は、一対の係着片２０３の間隔Ｌ１よりも狭くなっているので、ホッパー２００が、設置部材２２０の所定の位置から外れて係着された場合、係着片２０３が規制部２２４に当たり、ホッパー２００を係着途中で止めることができる。したがって、ホッパー２００が外れたまま一番奥まで係着してから取り出して、付け直すよりも生産性や組み立て性がよいという効果がある。
【００６８】
次に、図８を用いて、本発明の第２実施形態について詳細に説明する。同図は、第２実施形態の設置部材２２０の概略斜視図である。同図に示すように、第２実施形態は、設置部材２２０に規制面２２４ａを設けていないところに特徴がある。尚、案内部２２２、係着部２２３、当接部２２５、コネクタ接続部２２６については、第１実施形態と異なるところがないため、詳細な説明は省略する。
【００６９】
この場合、ホッパー２００を設置部材２２０に係着する際に、ホッパー２００に設けられた係着片２０３は、設置部材２２０の案内部２２２により設置部材２２０の所定の位置に誘導され、さらに、係着片２０３は、係着方向の上側に広がった第二案内面２２３ａにより、設置部材２２０の所定の上下位置に誘導される。その後、この係着片２０３は、筒部２２３ｂと係着しながら奥まで係着される。そして、ホッパー２００は、当接部２２５と当接して所定の位置に停止する。また、この時、ホッパー２００に設けられた雌コネクタ（図示省略）は、コネクタ接続部２２６に設けられた雄コネクタ（図示省略）と嵌合し、電気的信号の伝達が可能となる。
【００７０】
一方、ホッパー２００が設置部材２２０の所定の位置に係着されない場合、係着片２０３は、規制部２２４の第二壁部２２４ｂの係着前方の端面と当接し、その位置でホッパー２００は停止する。
【００７１】
したがって、ホッパー２００が設置部材２２０と所定の位置で係着されない場合、係着片２０３は、第二壁部２２４ｂと当接し、係着途中で停止するので、ホッパー２００が破損したり、内部のコネクタ等の損傷を防止できるという効果がある。
【００７２】
また、ホッパー２００は、設置部材２２０への係着途中で停止する。したがって、ホッパー２００を一番奥まで係着してから取り出して、付け直すよりも生産性や組み立て性がよいという効果がある。
【００７３】
さらに、板金で規制面２２４ａを成型する必要がなく、金型の曲げ行程削減による金型製作費用の低減及び設置部材２２０の部品コストの低減ができるという効果がある。
【００７４】
次に、図９を用いて、本発明の第３実施形態について詳細に説明する。同図は、第３実施形態の設置部材２２０の概略斜視図である。
【００７５】
同図に示すように、第３実施形態は、設置部材２２０に規制部２２４を設ける代わりに係着部２２３の第二案内面２２３ａを長くしたところに特徴がある。尚、案内部２２２、当接部２２５、コネクタ接続部２２６については、第１実施形態と異なるところがないため、詳細な説明は省略する。
【００７６】
ホッパー２００を設置部材２２０に係着する際、ホッパー２００に設けられた係着片２０３は、設置部材２２０の案内部２２２により設置部材２２０の所定の位置に誘導され、さらに、係着方向の上方向に長く広がった第二案内面２２３ａにより、設置部材２２０の所定の上下位置に誘導され、筒部２２３ｂと係着しながら係着される。その後、ホッパー２００は、設置部材２２０に設けられた当接部２２５と当接し、設置部材２２０の所定の位置に停止する。さらに、この所定の停止位置で、ホッパー２００に設けられた雌コネクタ（図示省略）は、コネクタ接続部２２６に設けられた雄コネクタ（図示省略）と嵌合し、電気的信号の伝達が可能となる。
【００７７】
一方、ホッパー２００が、設置部材２２０の所定の位置から外れて係着された場合、ホッパー２００に設けられた係着片２０３は、第二案内面２２３ａに乗り上げ、係着方向前方が上方向に大きく傾いた状態で停止する。
【００７８】
したがって、ホッパー２００は、設置部材２２０の係着方向にそれ以上係着されることはなく、ホッパー２００を破損させたり、内部のコネクタを損傷させる恐れが少なくなるという効果がある。
【００７９】
また、ホッパー２００は、設置部材２２０の所定の位置から外れて係着された場合、設置部材２２０に設けられた第二案内面２２３ａに当接し、係着途中で停止する。したがって、ホッパー２００を一番奥まで係着してから取り出して、付け直すよりも生産性や組み立て性がよいという効果がある。
【００８０】
さらに、第二案内面２２４ａを長くしているため、ホッパー２００が設置部材２２０の所定の位置から外れて係着されても、ホッパー２００に設けられた係着片２０３を所定の位置に誘導し易くなるという効果がある。
【００８１】
また、規制部２２４を形成しなくても良いため、金型の曲げ行程を削減することができ、金型製作費用の削減、設置部材２２０の部品コストを低減できるという効果がある。
【００８２】
次に、図１０を用いて、本発明の第４実施形態について詳細に説明する。同図は、第４実施形態の設置部材２２０の概略斜視図である。
【００８３】
同図に示すように、第４実施形態は、設置部材２２０に設けた規制部２２４を係着部２２３の係着方向前方に形成したことに特徴がある。尚、案内部２２２、係着部２２３、規制部２２４、当接部２２５、コネクタ接続部２２６については、第１実施形態と異なるところがないため、詳細な説明は省略する。
【００８４】
この場合、ホッパー２００に設けられた係着片２０３は、設置部材２２０の案内部２２２により設置部材２２０の所定の位置に誘導され、さらに、係着方向の上側に広がった第二案内面２２３ａにより、設置部材２２０の所定の上下位置に誘導される。そして、その後、ホッパー２００は、設置部材２２０に設けられた当接部２２５と当接し、設置部材２２０の所定の位置に停止する。また、その停止位置で、ホッパー２００に設けられた雌コネクタ（図示省略）は、設置部材２２０のコネクタ接続部２２６に設けられた雄コネクタ（図示省略）と嵌合し、電気的信号の伝達が可能となる。
【００８５】
一方、係着片２０３が、設置部材２２０の所定の位置から外れて係着された場合、ホッパー２００は、規制面２２４ａと当接して停止する。この状態では、ホッパー２００は、設置部材２２０の係着方向にそれ以上係着されることはなく、ホッパー２００を破損させたり、内部のコネクタを損傷させる恐れが少なくなるという効果がある。
【００８６】
したがって、ホッパー２００が設置部材２２０と所定の位置で係着されない場合、係着片２０３は、係着前方で規制面２２４ａと当接して係着途中で停止するので、ホッパー２００を一番奥まで係着してから取り出して、付け直すよりも生産性や組み立て性がよいという効果がある。
【００８７】
次に、図１１、図１２を用いて、本発明の第５実施形態について詳細に説明する。図１１は、第５実施形態のホッパー２００と設置部材２２０である。図１１（ａ）は、ホッパー２００の係着方向から見た正面図と、図１１（ｂ）は、ホッパー２００と、設置部材２２０の概略斜視図であり、図１２は、ホッパー２００と設置部材２２０の挿入方向から見た正面図である。
【００８８】
第５実施形態は、ホッパー２００に第二係着片２０５と、設置部材２２０に規制部２２４の代わりに第二係着部２２７を設けたことを特徴とする。尚、案内部２２２、係着部２２３、当接部２２５、コネクタ接続部２２６については、第１実施形態と異なるところがないため、詳細な説明は省略する。
【００８９】
図１１（ａ）に示すように、ホッパー２００は、係着方向に平行な両側面に設けられた一対の第一係着片２０３と、一対の第二係着片２０５を備え、第二係着片は、係着方向に凹部２０５ａを備えて構成されている。
【００９０】
また、図１２に示すように、一対の第一係着片２０３の間の間隔は、長さＬ１寸法になるように構成されている。
【００９１】
また、図１１（ｂ）に戻って、設置部材２２０は、係着方向と平行に第一係着部２２３と、第二係着部２２７を備え、第二係着部２２７は、凸部２２７ａを備えて構成されている。
【００９２】
図１２に示すように、第二係着部２２７は、設置部材２２０の係着方向と平行な両側面に設けられた一対のかぎ型形状部材で、一対の第二係着部２２７の間隔（凸部２２７ａを除く）は、長さＬ２寸法になるように構成されている。
【００９３】
また、前述の一対の第一係着片２０３の間隔Ｌ１は、一対の第二係着部２０７の間隔Ｌ２よりも長い関係（つまり、Ｌ１＞Ｌ２の関係）になっている。
【００９４】
図１１（ｂ）に戻って、まず、ホッパー２００に設けられた第一係着片２０３は、設置部材２２０の案内部２２２により設置部材２２０の所定の位置に誘導され、さらに、係着方向の上側に広がった第二案内面２２３ａにより、設置部材２２０の所定の上下位置に案内される。第一係着片２０３は、筒部２２３ｂと係着し、また、ホッパー２００に設けられた凹部２０５ａは、設置部材２２０に設けられた凸部２２７ａと係着した状態で係着される。その後、ホッパー２００は、当接部２２５と当接し、設置部材２２０の所定の位置に停止する。この停止位置で、ホッパー２００に設けられた雌コネクタ（図示省略）は、設置部材２２０のコネクタ接続部２２６に設けられた雄コネクタ（図示省略）と嵌合し、電気的信号の伝達が可能となる。
【００９５】
前述したように、一対の第一係着片２０３の間隔Ｌ１は、一対の第二係着部２２７の間隔Ｌ２よりも長い関係にあるので、第一係着片２０３が、設置部材２２０の所定の位置から外れて係着された場合、第一係着片２０３は、必ず第二係着部２０７と当接する。この状態では、ホッパー２００は、設置部材２２０の装着方向にそれ以上係着することはできず、係着途中で停止することになるので、ホッパー２００を破損させたり、内部のコネクタを損傷させる恐れが少なくなるという効果がある。
【００９６】
以上のことから、前記ホッパー２００は、設置部材２２０への係着方向と平行に設けられた第一係着片２０３と、凹形状の第二係着片２０５と、を備え、設置部材２２０は、第一係着片２０３と係着する第一係着部２２３と、第二係着片２０５と係着する第二係着部２２７と、を備えて構成されており、一対の第二係着部２２７の間隔Ｌ２は、一対の第一係着片２０３の間隔Ｌ１よりも狭くなっているので、ホッパー２００が、設置部材２２０の所定の位置で係着しない場合、第一係着片２０３は第二係着部２０７と当たり、ホッパー２００は係着途中で停止する。したがって、ホッパー２００が所定の係着位置から外れたまま一番奥まで係着してから取り出して、付け直すよりも生産性や組み立て性がよいという効果がある。
【００９７】
次に、図１３を用いて、本発明の第６実施形態について詳細に説明する。同図は、第６実施形態のホッパー２００と、設置部材２２０の概略斜視図である。第６実施形態は、図１１に示す第５実施形態の第二係着片２０５を係着方向に短くし、ホッパー２００の係着方向の幅に対し、略真ん中に形成したことを特徴とする。尚、案内部２２２、係着部２２３、当接部２２５、コネクタ接続部２２６については、第１実施形態と異なるところがないため、詳細な説明は省略する。
【００９８】
この場合、ホッパー２００の第一係着片２０３は、第一案内面２２２ａ及び第二案内面２２３ａによって設置部材２２０の所定の場所に誘導され、筒部２２３ｂと係着しながら係着される。その後、ホッパー２００は、当接部２２５と当接し、設置部材２２０の所定の位置に停止する。この際、ホッパー２００に設けられた第二係着片２０５の凹部２０５ａは、設置部材２２０に設けられた第二係着部２２７の凸部２２７ａと係着する。また、ホッパー２００側に設けられた雌コネクタ（図示省略）と、設置部材２２０側のコネクタ接続部２２６に設けられた雄コネクタ（図示省略）が嵌合し、電気的信号の伝達が可能となる。なお、第二係着片２０５及び第二係着部２２７の位置は、ホッパー２００が設置部材２２０の当接部２２５と当接した時に、第二係着片２０５の凹部２０５ａと第二係着部２２７の凸部２２７ａが嵌合するような位置関係であればよく、同図に示す位置である必要はないことは言うまでもない。
【００９９】
一方、第一係着片２０３が、設置部材２２０の所定の位置に誘導されない場合、第一係着片２０３は、第二案内面２２３ａに乗り上げると共に、第二係着片２０５は、第二係着部２２７と当接する。この状態で、ホッパー２００は、設置部材２２０の係着方向にそれ以上係着されず途中停止する。
【０１００】
したがって、ホッパー２００が設置部材２２０と所定の位置で係着されない場合、第二係入片２０５は、係着前方で第二係着部２２７と当接し、ホッパー２００を係着途中で停止するので、ホッパー２００を一番奥まで係着してから取り出して、付け直すよりも生産性や組み立て性がよいという効果がある。また、ホッパー２００を破損させたり、内部のコネクタを損傷させる恐れが少なくなるという効果がある。
【０１０１】
次に、図１４を用いて、本発明の第７実施形態について詳細に説明する。同図は、第７実施形態のスロットマシン５００の概略斜視図である。第７実施形態は、前述したホッパー２００と設置部材２２０の係着構造を、リールユニット５００に利用したところに特徴を有するものである。
【０１０２】
まず、本体５０１の上方には、リールユニット５１０を本体５０１に設置する為の設置部材５２０を設けている。設置部材５２０は、本体５０１とボルト等の固定具で固定されている。なお、リールユニット５１０は、設置部材５２０と所定の位置で係着し、そのまま係着して設置される。
【０１０３】
次に、リールユニット５１０と設置部材５２０の構造について説明する。
【０１０４】
リールユニット５１０は、設置部材５２０への係着方向と平行な両側面の下側に係着片５１２を有している。
【０１０５】
係着片５１２は、その係着方向に対し、両端部分が端部に向かってテーパ形状にカットされており、リールユニット５１０上面から見ると略台形形状となっている。従って、リールユニット５１０は、テーパ部分から設置部材５２０に係着されることとなり、設置部材５２０と係着し易くなっている。
【０１０６】
次に、同図の設置部材５２０は、ベース部５２１と、案内部５２２と、係着部５２３と、規制部５２４と、当接部５２５と、コネクタ接続部（図示省略）と、を備えて構成されている。なお、それぞれ第１実施形態の中で説明した、ベース部２２１と、案内部２２２と、係着部２２３と、規制部２２４と、当接部２２５と、形状、材質及び機能等の点で、大きな違いはないので、詳細な説明は省略する。
【０１０７】
案内部５２２は、リールユニット５１０係着方向に向かってハの字に開いた第一案内面５２２ａと、その第一案内面５２２ａの後方に繋がる第一壁部５２２ｂと、を備えて構成されている。従って、図１４に示すように、第一案内面５２２ａは、リールユニット５１０の係着片５１２を、設置部材５２０の幅方向の略中心に誘導する。これにより、係着片５１２は、後述する係着部５２３と容易に係着することができる。
【０１０８】
係着部５２３は、第二案内面５２３ａと、第二案内面５２３ａの後方に繋がる略コの字形状の筒部５２３ｂを備えて構成されている。同図に示すように、第二案内面５２３ａは、係着方向の上方向に向かって広がった形状となっており、リールユニット５１０の係着片５１２を下側（ベース部５２１側）に誘導する。
【０１０９】
規制部５２４は、係着方向に対して、略垂直に設けられた規制面５２４ａと、規制面５２４ａの後方に繋がる第二壁部５２４ｂを備えて構成されている。規制面５２４ａ及び第二壁部５２４ｂは、筒部５２３ｂの上方に設けられ、筒部５２３ｂ全長に対し、略中間位置に設けられている。なお、この規制部５２４の位置は、第１実施形態の中で説明したのと同様、図示の位置に限らないことは言うまでもない。
【０１１０】
当接部５２５は、係着部５２３の後方に設けられ、係着方向に対して垂直な面を形成しており、係着したリールユニット５１０と当接し、リールユニット５１０を所定の位置で停止するように形成されている。
【０１１１】
コネクタ接続部（図示省略）は、雄コネクタ装置（図示省略）が固定されており、リールユニット５１０が所定の位置で停止した場合、リールユニット５１０に設けられた雌コネクタ装置（図示省略）と嵌合する。
【０１１２】
従って、リールユニット５１０を設置部材５２０に設置する場合、リールユニット５１０の係着片５１２は、第一案内面５２２ａによって、所定の位置に誘導され、第一壁部５２２ｂと係着する。その後、係着片５１２は、第二案内面５２３ａによって、係着方向下側（ベース部５２１方向）に誘導され、さらに筒部５２３ｂと係着しながら係着される。リールユニット５１０は、当接部５２５と当接するまで係着され、リールユニット５１０は当接部５２５と当接した所定の位置で停止する。このとき、リールユニット５１０に設けられた雌コネクタ装置（図示省略）は、コネクタ接続部（図示省略）に設けられた雄コネクタ装置と嵌合する。また、係着片５１２が、第二案内面５２３ａと所定の位置で係着しない場合、係着片５１２は、規制面５２４ａと当接し、その位置で途中停止する。
【０１１３】
したがって、リールユニット５１０は、設置部材５２０と所定の位置で係着しない場合、設置部材２２０の途中で停止し、ホッパー２００を一番奥まで係着してから取り出して、付け直すよりも生産性や組み立て性がよいという効果がある。
【０１１４】
さらに、リールユニット５１０を無理に係着することによる破損や、設置部材５２０に設けられた雄コネクタ装置（図示省略）の破損を防ぐことができるという効果がある。
【０１１５】
また、言うまでもないが、リールユニット５１０側に設けられている雌コネクタ装置（図示省略）と、設置部材５２０側に設けられている雄コネクタ装置（図示省略）は、互いに電気的に嵌合して電気的信号を伝送するという用途を果たせばよく、コネクタの種類は問わず、また、ソケット等でも構わない。
【０１１６】
また、説明は省略するが、第２実施形態〜第６実施形態も、リールユニット５１０と設置部材５２０との設置構造に適用できることは、言うまでもない。
【０１１７】
次に、図１５を用いて、本発明の第８実施形態について詳細に説明する。同図は、第８実施形態のスロットマシン１００に着脱可能に設けられたメダルセレクタ６００の分解斜視図であり、同図（ａ）はセレクタ本体６１０、同図（ｂ）はホルダ本体６２０の概略斜視図である。
【０１１８】
同図（ａ）のセレクタ本体６１０は、第一ホルダ取付片６１２と、第二ホルダ取付片６１４と、当接部６１６と、を備えて構成されている。
【０１１９】
第一ホルダ取付片６１２は、略円柱凸形状で、セレクタ本体６１０の係着方向先端近傍に２個設けられている。第一ホルダ取付片６１２は、後述するホルダ本体６２０の第一ホルダ穴６２２と係着するように設けられている。
【０１２０】
第二ホルダ取付片６１４は、略円柱凸形状をしており、セレクタ本体６１０の係着方向後端近傍に２個設けられている。第二ホルダ取付片６１４は、後述するホルダ本体６２０の第二ホルダ穴６２４と係着するように設けられている。
【０１２１】
当接部６１６は、略Ｌ字形状の板金部材である。当接部６１６は、セレクタ本体６１０が、後述するホルダ本体６２０と所定の位置で係着した場合、ホルダ本体６２０と当接しないように構成されている。したがって、セレクタ本体６１０に設けられた第一ホルダ取付片６１２、第二ホルダ取付片６１４は、それぞれ、後述するホルダ本体６２０の第一ホルダ穴６２２、第二ホルダ穴６２４と嵌り合う。
【０１２２】
一方、セレクタ本体６１０が、後述するホルダ本体６２０と所定の位置で係着しない場合、当接部６１６は、後述するホルダ本体６２０に設けられた規制部６２６と当接し、セレクタ本体６１０がそれ以上係着されないように構成されている。
【０１２３】
同図（ｂ）のホルダ本体６２０は、第一ホルダ穴６２２と、第二ホルダ穴６２４と、規制部６２６と、を備えて構成されている。
【０１２４】
第一ホルダ穴６２２は、板金成型された略円形上の穴で、第一ホルダ取付片６１２が係着される先端付近はテーパ状の大径になっており、係着後端付近は、第一ホルダ取付片６１２の直径よりもわずかに大きい穴径形状となっている。これにより、第一ホルダ取付穴６２２は、セレクタ本体６１０の第一ホルダ取付片６１２と位置合わせ容易に係着できる。
【０１２５】
第二ホルダ取付穴６２４は、略Ｌ字形状の取付部Ａ６２４ａと、略コの字形状の取付部Ｂ６２４ｂを備え、取付部Ａ６２４ａ及び取付部６２４ｂは、セレクタ本体６１０の第二ホルダ取付片６１４と係着するように形成されている。
【０１２６】
規制部６２６は、一端に第二ホルダ穴６２４が形成された略Ｖ形状のバネ性を備えた部材である。また、規制部６２６は、ホルダ本体６２０と着脱可能で、ボルト等の固定具でホルダ本体６２０に固定されている。
【０１２７】
規制部６２６は、ホルダ本体に固定された、略Ｖ字形状の板金部材である。規制部６２６は、セレクタ本体６１０に設けられた第一ホルダ取付片６１２が、ホルダ本体６２０に設けられた第一ホルダ取付穴の所定の位置へ係着した場合、規制部６２６と当接部６１６と当接せず、第二ホルダ取付片６１４と第二ホルダ取付穴６２４とが嵌合するように構成されている。
【０１２８】
次に、図１６及び図１７を用いて、セレクタ本体６１０と、ホルダ本体６２０の係着状態について説明する。図１６は、セレクタ本体６１０とホルダ本体６２０が所定の位置で係着した場合を示しており、同図（ａ）は、セレクタ本体６１０とホルダ本体６２０の係着途中状態を示す上面図である。同図（ｂ）は、セレクタ本体６１０とホルダ本体６２０の係着途中状態を示すホルダ本体６２０側から見た概略斜視図である。同図（ｃ）は、セレクタ本体６１０とホルダ本体６２０が所定の位置で係着した状態を示す正面図である。
【０１２９】
まず、同図（ａ）、（ｂ）に示すように、セレクタ本体６１０に設けられた第一ホルダ取付片６１２を、ホルダ本体６２０に設けられた第一ホルダ取付穴６２２に斜め上方から係着して係着させる。第一ホルダ取付穴６１２と第一ホルダ取付穴６２２が所定の位置で係着した場合、第二ホルダ取付片６１４と第二ホルダ取付穴６２４が所定の位置で嵌合し、同図（ｃ）に示すように、セレクタ本体６１０とホルダ本体６２０は所定の状態でしっかり係着する。
【０１３０】
一方、図１７は、セレクタ本体６１０とホルダ本体６２０が所定の位置から外れて係着している場合を示しており、同図（ａ）は、セレクタ本体６１０とホルダ本体６２０の係着途中状態を示す上面図である。同図（ｂ）は、セレクタ本体６１０とホルダ本体６２０の係着途中状態を示すホルダ本体６２０側から見た概略斜視図である。同図（ｃ）は、セレクタ本体６１０とホルダ本体６２０が所定の位置から外れた状態で係着した状態を示す正面図である。
【０１３１】
まず、同図（ａ）、（ｂ）に示すように、セレクタ本体６１０に設けられた第一ホルダ取付片６１２を、ホルダ本体６２０に設けられた第一ホルダ取付穴６２２に斜め上方から係着して係着させる。この時、同図（ａ）のように第一ホルダ取付片６１２と第一ホルダ取付穴６２２が所定の位置から外れて係着した場合、まず初めに、セレクタ６１０に設けられた当接部６１６とホルダ本体６２０に設けられた規制部６２６が当接する。したがって、第二ホルダ取付片６１４と第二ホルダ取付穴６２４は嵌合せず、同図（ｃ）に示すように、セレクタ本体６１０とホルダ本体６２０が浮いた状態になっている。
【０１３２】
したがって、本実施例によれば、セレクタ本体６１０とホルダ本体６２０が所定の位置から外れて係着した場合には、セレクタ本体６１０はホルダ本体６２０の係着途中で停止し、無理に係着されることによるセレクタ本体６１０、ホルダ本体６２０の破損の恐れが少ないという効果がある。
【０１３３】
また、セレクタ本体６１０とホルダ本体６２０が、所定の位置から外れて係着した場合に、セレクタ６１０とホルダ６２０が嵌合する前に、当接部６１６と規制部６２６が当接することとなり、セレクタ本体６１０を一番奥まで係着してから取り出して、付け直すよりも生産性や組み立て性がよいという効果がある。
【０１３４】
次に、図１８を用いて、本発明の第９実施形態について詳細に説明する。同図（ａ）は、第９実施形態のホッパー７００の概略斜視図であり、同図（ｂ）及び（ｃ）は、コネクタ接続機構７５０の動作を表す概略図である。
【０１３５】
第９実施形態は、第１実施形態〜第７実施形態にコネクタ接続機構を追加したところに特徴を有する。同図（ａ）に示すように、ホッパー７００は、ホッパー本体７０２と、箱状のバケット７１０を組合せて構成されている。ホッパー本体７０２は、係着方向と平行な本体両側面の下側に薄板形状の係着片７０３と、係着方向の先端近傍に凸形状の押片７０４を備えて構成されている。
【０１３６】
また、コネクタ接続機構７５０は、ベース部材７５１と、案内部７５２と、係着部７５３と、当接部７５５と、コネクタ接続部７５６と、リンク機構７５７と、コネクタ装置７５８と、弾性部材７５９と、を備えて構成されている。
【０１３７】
ここで、ベース部材７５１と、案内部７５２と、係着部７５３と、当接部７５５の形状及び機能等は実施例１に記載した、ベース部材２２１と、案内部２２２と、係着部２２３と、当接部２２５と同じであり、ここでは詳細な説明を省略する。
【０１３８】
コネクタ接続部７５６は、板金で成型された略コの字形状の部材で、当接部７５５の係着方向後方にボルト等の固定具で固定されている。
【０１３９】
リンク機構７５７は、第一リンク部材７５７ａと、接続部材７５７ｂと、第二リンク部材７５７ｃと、を備えて構成されている。
【０１４０】
第一リンク部材７５７ａは、一端は、接続部材７５７ｂに接続され、他端は、後述するホッパー７００をコネクタ接続機構７５０に係着した際に、ホッパー７００に設けられた押片７０４に押される端部７５７ｄを設けている。
【０１４１】
接続部材７５７ｂは、軸中心に回動可能な継ぎ手部材であり、第一リンク部材７５７ａと第二リンク部材７５７ｃを軸中心に回動可能に接続している。
【０１４２】
第二リンク部材７５７は、一端は、接続部材７５７ｂに接続され、他端は、後述するコネクタ装置７５８の背面を押圧する端部７５７ｅを形成している。
【０１４３】
コネクタ装置７５８は、コネクタ接続部７５６に設けられた雄コネクタであり、係着方向に移動可能に装置されている。コネクタ装置７５８は、ホッパー７００がコネクタ接続機構７５０の所定の位置に係着されたときに、ホッパー７００に設けられた雌コネクタ（図示省略）と嵌合し、ホッパー７００と主制御回路（図示省略）との間で電気的信号の伝達が開始される。また、ホッパー７００が所定の位置に係着されない場合、コネクタ装置７５８は、コネクタ接続部７５６の端面よりも奥に装置されている。
【０１４４】
弾性部材７５９は、バネ等の弾性部材であり、コネクタ装置７５８とコネクタ接続部７５６との間隙に設けられている。弾性部材７５９は、ホッパー７００がコネクタ接続装置７５０に係着されていない場合、バネが伸びる方向に力を発しており、コネクタ装置７５８及びリンク機構７５７を系着方向へ押し下げるように構成されている。したがって、ホッパー７００がコネクタ接続装置７５０に係着されていない場合は、コネクタ装置７５８は、弾性部材７５９によって押し下げられ、常にある定位置に戻るように構成されている。
【０１４５】
次に、ホッパー７００をコネクタ接続装置７５０に設置する場合の動作について詳細に説明する。
【０１４６】
まず、コネクタ接続機構７５０の所定の位置にホッパー７００を係着すると、ホッパー７００の係着片７０３は、第一案内面７５２ａ及び第二案内面７５３ａによって所定の位置に誘導される。その後、所定の位置に誘導されたホッパー７００の係着片７０３は、筒部７５３ｂと係着しながら係着される。次に、ホッパー７００に設けられた押片７０４は、ホッパー７００が当接部７５５と当接して停止する前に、リンク機構７５７の第一リンク部材７５７ａに形成された端部７５７ｄと当接する。さらに、ホッパー７００を係着すると、第一リンク部材７５７ａは押片７０４によって矢印Ａ方向に押される。次に第一リンク部材７５７ａが矢印Ａ方向に押されると、軸固定された回動可能な接続部材７５７ｂが回転し、第一リンク部材７５７ａと共に接続部材７５７ｂに接続されている第二リンク部材７５７ｃが左回転をする。すると、第二リンク部材７５７ｃの端部７５７ｅは、矢印Ｂ方向に移動し、端部７５７ｅと接続されているコネクタ装置７５８の背面を矢印Ｂ方向に押す。したがって、ホッパー７００の係着に従って、コネクタ装置７５８は係着方向前方に移動し、ホッパー７００が当接部７５５と当接した時に、ホッパー７００に設けられた雌コネクタ（図示省略）と嵌合する。また、ホッパー７００が取り除かれた場合、コネクタ装置７５８は、弾性部材７５９によって押し戻され、所定の位置に戻る。
【０１４７】
したがって、第一案内片７５２ａ及び第二案内片７５３ａによって、ホッパー７００が所定の位置に誘導されず、係着片７０３が筒部７５３ｂと所定の位置で係着しない場合には、ホッパー７００に設けられた押片７０４は、第一リンク部材７５７ａの端部７５７を押すことはなく、コネクタ７５８は、コネクタ接続部７５６の端面から突出することはない。したがって、ホッパー７００の係着が所定の位置から外れた場合、ホッパー７００がコネクタ７５８を破損してしまうことを防止できるという効果がある。
【０１４８】
次に、図１９を用いて、本発明の第１０実施形態について詳細に説明する。第１０実施形態は、第１実施形態〜第７実施形態の中で記載している規制部２２４、規制部５２４の代わりにセンサ発光部８０４及びセンサ受光部８０７を備えているところに特徴を有する。同図（ａ）は、第１０実施形態の設置部材８００の概略斜視図であり、同図（ｂ）は、設置部材８００の断面側面図であり、同図（ｃ）は、センサ信号の説明図である。
【０１４９】
設置部材８００は、ベース部材８０１と、案内部８０２と、係着部８０３と、センサ発光部８０４と、当接部８０５と、コネクタ接続部８０６と、センサ受光部８０７と、を備えて構成されている。
【０１５０】
ここで、ベース部材８０１と、案内部８０２と、係着部８０３と、当接部８０５と、コネクタ接続部８０６の形状及び機能等は第１実施形態の中で説明した、ベース部材２２１と、案内部２２２と、係着部２２３と、当接部２２５と同じであり、ここでは詳細な説明を省略する。
【０１５１】
センサ発光部８０４は、レーザー、ＬＥＤ等の発光素子であり、本実施例では、センサ発光部８０４の下段に設けられた第一発光部８０４ａはレーザー光８０８ａを発射し、上段に設けられた第二発光部８０４ｂはレーザー光８０８ｂを発射するように構成されている。
【０１５２】
センサ受光部８０７は、フォトダイオード（ＰＤ）、フォトトランジスタ等の受光素子であり、一定の光の受光に対して一定の電圧を発生する素子である。センサ受光部８０７は、下段に設けられた第一受光部８０７ａと、上段に設けられた第二受光部８０７ｂとから構成されている。
【０１５３】
第一受光部８０７ａは、第一発光部８０４ａから発射されたレーザー光８０８ａを受光し、第二受光部８０７ｂは、第二発光部８０４ｂから発射されたレーザー光８０８ｂを受光するように設置されている。第一発光部８０４ａ及び第一受光部８０７ａは、図示しないホッパーの係着片と係着する筒部８０３ａと略同じ高さに設置され、その係着片が所定の位置で係着した場合、係着片がレーザー光８０８aを遮るように設置されている。また、第二発光部８０４ｂ及び第二受光部８０７ｂは、係着部８０３の上部に形成され、図示しないホッパーが係着された場合に、ホッパー本体がレーザー光８０８ｂを遮るように設置されている。なお、第一受光部８０７ａ及び第二受光部８０７ｂは、レーザー光を受光した場合は、電圧がＯＦＦ状態となり、受光しない場合は、電圧がＯＮ状態になるように構成されている。
【０１５４】
したがって、図示しないホッパーが設置部材８００と全く係着していない場合（例えば、ホッパーを完全に取り外している場合）、第一受光部８０７ａ及び第二受光部８０７ｂは、それぞれ第一発光部８０４ａ及び第二受光部８０４ｂからのレーザー光８０８ａ及び８０８ｂを受光し、共にＯＦＦ状態となる。
【０１５５】
一方、図示しないホッパーに設けられた係着片が、係着部８０３の所定の位置に係着している場合、ホッパー及びその係着片は、第一発光部８０４ａ及び第二発光部８０４ｂからのレーザー光８０８ａ及び８０８ｂを遮り、第一受光部８０７ａ及び第二受光部８０７Ｂは、共にＯＮ状態となる。
【０１５６】
また、図示しない係着片が所定の位置に係着していない場合（例えば、筒部８０３Ｂに乗り上げている場合）、その係着片によっては第一発光部８０４ａからのレーザー光８０８ａは遮られることなく、第一受光部８０７ａは、光を受光しＯＦＦ状態になる。一方、第二受光部８０７ｂは、図示しないホッパー本体に遮られ、第二発光部８０４ｂからのレーザー光８０８ｂを受光できず、ＯＮ状態になる。
【０１５７】
したがって、図１９（ｃ）に示すように、第一受光部８０７ａ及び第二受光部８０７ともにＯＦＦ状態の場合、図示しないホッパーが取り付けられていない状態を表し、第一受光部８０７ａ及び第二受光部８０７ともにＯＮ状態の場合、ホッパーが正常に取り付けられている状態を表す。一方、第一受光部８０７ａはＯＦＦで、第二受光部８０７ｂがＯＮの場合、ホッパーが正常に取り付けられていない（傾いている）状態を表している。したがって、例えば、このＯＮ，ＯＦＦ信号に基づいて、スロットマシン１００本体内部に設けた図示しない音声警告装置や、警告ランプや、ブザー報知装置等で作業者に、ホッパーが所定の位置に係着されていないことを知らせることによって、ホッパーが外れた状態で、奥まで係着してしまうことによる装置やケーブルの破損を防ぐことができる。
【０１５８】
また、本発明は、複数種類の図柄が施された複数のリール１１０〜１１２と、複数のリールの回転を開始させるスタートスイッチ１３５と、複数のリールのそれぞれに対応して設けられ、リールの回転を個別に停止させるストップスイッチ１３７〜１３９と、予め定められた複数種類の入賞役の内部当選の当否を抽選により判定する抽選手段（入賞役内部抽選）と、停止された複数のリールによって表示される図柄の組合せが、抽選手段により内部当選した入賞役に対応する図柄の組合せであるか否かにより入賞役の入賞の当否を判定する判定手段（入賞判定）と、を備えたスロットマシンに好適であるが、本発明はこれに限定されるものではなく、例えば、遊技球（例えば、パチンコ玉）を遊技媒体としたパチンコ機などにも適用可能である。
【０１５９】
以下、パチンコ機について説明する。例えば、図２０に示すように、パチンコ機７００は、遊技者が遊技球であるパチンコ玉の打ち出しを行なうためのハンドル７１０、ハンドルに対する操作により打ち出されるパチンコ玉が導入される受皿７２０、パチンコ玉が打ち出される円形の遊技領域７３０を備える。
【０１６０】
遊技領域には不図示の釘が配設され、遊技領域の上部から落下するパチンコ玉は釘に衝突して方向を変えながら遊技領域の下部へ落下する。遊技領域には入賞口７４０が配設されており、入賞口７４０へパチンコ玉が入球すると予め定めた特典が遊技者に付与される。
【０１６１】
本実施の形態では、この特典は大当たりの抽選の実行である。大当たりの抽選で当選すると遊技者には多数のパチンコ玉が払出されるチャンスが与えられる。また、遊技領域７３０の中央には、液晶表示装置７５０で遊技に関する各種の情報を表示する演出装置が設けられている。演出装置は、所定の図柄（識別情報）を変動表示する可変表示装置でもあり、すでに説明した上記実施の形態による演出画像を表示するのみならず、さらには上述の抽選で大当たりに当選したときには、特定の図柄による組合せ（大当たり図柄；例えば、７７７など）も表示する。
【０１６２】
図２１は、パチンコ機７００の制御系の機能ブロック図である。パチンコ機７００は、制御部８００を有する。制御部８００はＣＰＵ等の処理手段８１０、乱数を発生する乱数発生手段８２０、ＲＡＭ等の記憶手段Ａ８３０、及びＲＯＭ等の記憶手段Ｂ８４０を有する。センサ８６０は入賞口に設けられ、パチンコ玉の入球を検出するセンサである。その他のデバイス８７０は、その他のデバイス（ランプ、パチンコ玉の払い出し装置等）を示している。
【０１６３】
処理手段８１０は、大当たりの抽選の実行条件が成立したか否かを判定する。大当たりの抽選の実行条件は、センサ８６０により入賞口にパチンコ玉が入球したことが検出された時に成立する。処理手段８１０は、大当たりの抽選の実行条件が成立すると、乱数発生手段８２０から乱数値を取得し、記憶手段Ａ８３０に記憶する。
【０１６４】
乱数値は、大当たりの抽選の実行条件の成立毎に予め定めた記憶上限回数を上限として順次記憶される。例えば、４回分の抽選結果が記憶される。４回分の乱数値が記憶されている場合、新たな乱数値は破棄される。処理手段８１０は、記憶手段Ａ８３０に乱数値が記憶されていることを条件として、当該乱数値に基づき大当たりの抽選処理を行う。記憶手段Ａ８３０に複数回分の乱数値が記憶されている場合には、最も古いものから順番に選択する。抽選結果が大当たりの場合は、演出装置が大当たりに対応した識別情報を表示し、ボーナスゲームが開始されて、遊技者には多数のパチンコ玉が払出されるチャンスが与えられる。
【０１６５】
このように、本発明をスロットマシンやパチンコ機に適用することにより、画像の表示と可動物の動きを同期させることができる。
【０１６６】
なお、本発明の実施の形態に記載された作用および効果は、本発明から生じる最も好適な作用および効果を列挙したに過ぎず、本発明による作用および効果は、本発明の実施の形態に記載されたものに限定されるものではない。
【産業上の利用可能性】
【０１６７】
本発明は、スロットマシンやパチンコ等に代表される遊技台に適用することができる。
【図面の簡単な説明】
【０１６８】
【図１】本発明の第１実施形態に係るスロットマシンの概略斜視図である。
【図２】同スロットマシンの主制御部の回路構成を示した図である。
【図３】同スロットマシンの副制御部の回路構成を示した図である。
【図４】同スロットマシンの前面扉を開放した状態の概略斜視図である。
【図５】同スロットマシンのホッパーと設置部材を示す概略斜視図である。
【図６】同スロットマシンのホッパーの係着方向から見たホッパーと設置部材の正面図である。
【図７】同スロットマシンのホッパーが設置部材から外れて係着された場合の概略斜視図である。
【図８】第２実施形態に係る設置部材の概略斜視図である。
【図９】第３実施形態に係る設置部材の概略斜視図である。
【図１０】第４実施形態に係る設置部材の概略斜視図である。
【図１１】（ａ）第５実施形態に係るホッパーの正面図である。（ｂ）ホッパーと設置部材の概略斜視図である。
【図１２】同ホッパーの係着方向から見たホッパーと設置部材の正面図である。
【図１３】第６実施形態に係るホッパーと設置部材の概略斜視図である。
【図１４】第７実施形態に係るスロットマシンの前面扉を開放した状態の概略斜視図である。
【図１５】（ａ）第８実施形態に係るセレクタ本体の概略斜視図である。（ｂ）ホルダ本体の概略斜視図である。
【図１６】（ａ）同セレクタ本体とホルダ本体の係着途中状態を示す上面図である。（ｂ）セレクタ本体とホルダ本体の係着途中状態を示す概略斜視図である。（ｃ）所定位置での係着状態を示す平面図である。
【図１７】（ａ）同セレクタ本体とホルダ本体の係着途中状態を示す上面図である。（ｂ）セレクタ本体とホルダ本体の係着途中状態を示す概略斜視図である。（ｃ）所定位置から外れた場合の係着状態を示す平面図である。
【図１８】（ａ）第９実施形態に係るホッパーの概略斜視図である。（ｂ）コネクタ接続装置を示す平面図である。（ｃ）ホッパーがコネクタ接続装置に係着された状態を示す平面図である。
【図１９】（ａ）第１０実施形態に係る設置部材を示す概略斜視図である。（ｂ）設置部材の側面図である。（ｃ）センサ発光部、センサ受光部の信号図である。
【図２０】パチンコ機の一例を示した外観斜視図である。
【図２１】同パチンコ機の制御系の機能ブロック図である。
【符号の説明】
【０１６９】
１００  スロットマシン
１１０〜１１２  リール
１３５  スタートレバー
１３７〜１３９  ストップボタン
２００  ホッパー
２２０  設置部材
３００  主制御部
４００  副制御部
６００  メダルセレクタ
６１０  セレクタ本体
６２０  ホルダ本体
７００  ホッパー
７５０  コネクタ接続装置
【図１】
0004909872.tif 000002
【図２】
0004909872.tif 000003
【図３】
0004909872.tif 000004
【図４】
0004909872.tif 000005
【図５】
0004909872.tif 000006
【図６】
0004909872.tif 000007
【図７】
0004909872.tif 000008
【図８】
0004909872.tif 000009
【図９】
0004909872.tif 000010
【図１０】
0004909872.tif 000011
【図１１】
0004909872.tif 000012
【図１２】
0004909872.tif 000013
【図１３】
0004909872.tif 000014
【図１４】
0004909872.tif 000015
【図１５】
0004909872.tif 000016
【図１６】
0004909872.tif 000017
【図１７】
0004909872.tif 000018
【図１８】
0004909872.tif 000019
【図１９】
0004909872.tif 000020
【図２０】
0004909872.tif 000021
【図２１】
0004909872.tif 000022